(57)【要約】【課題】気体や液体などのように比重の異なる流体が流れても、それら流体を効率よく良好に吸引することができる流体切替弁を提供すること。【解決手段】中空状の本体部２と、前記本体部２内に流体を流入させる対をなす流入部６ａ，６ｂと、前記流入部６ａ，６ｂを介して前記本体部２内に流入した流体を流出させる流出部１３と、前記対をなす流入部６ａ，６ｂの間において止め点Ａを中心として回転可能に支持された可動弁９とを備え、前記対をなす流入部６ａ，６ｂの配列方向における前記可動弁９の両端が、前記対をなす流入部６ａ，６ｂのそれぞれの流入口７ａ，７ｂまで延ばされていることを特徴とする。【選択図】図１
2009216156.tif 000002
【特許請求の範囲】
【請求項１】
中空状の本体部と、
前記本体部内に流体を流入させる対をなす流入部と、
前記流入部を介して前記本体部内に流入した流体を流出させる流出部と、
前記対をなす流入部の間において止め点を中心として回転可能に支持された可動弁とを備え、
前記対をなす流入部の配列方向における前記可動弁の両端が、前記対をなす流入部のそれぞれの流入口まで延ばされていることを特徴とする流体切替弁。
【請求項２】
前記止め点から前記両端にわたって傾斜する傾斜部が前記可動弁に形成されていることを特徴とする請求項１に記載の流体切替弁。
【請求項３】
前記流入口又は前記可動弁の少なくともいずれか一方に、弾性変形可能な封止部材が設けられていることを特徴とする請求項１又は請求項２に記載の流体切替弁。
【発明の詳細な説明】
【技術分野】
【０００１】
本発明は、流体の流出入を調整する流体切替弁に関する。
【背景技術】
【０００２】
従来より、例えば空気や油などの流体の流出入を調整する種々の流体切替弁が利用されている(例えば、特許文献１から４参照。)。
ここで、空気や油などの流体を２系統の配管で吸引する場合、２系統の配管それぞれに吸引装置を設け、それぞれ独立に流体を吸引していた。そのため、吸引装置が複数必要となり、全体の構成が複雑になるだけでなく、コストも増大してしまう。
そこで、２系統の配管を連結して１つの流出口から流体を流出させる連結装置を設けることが考えられる。そして、流出口の出力側に吸引装置を設けることにより、１つの吸引装置で２系統の配管内を吸引することができる。
【特許文献１】特許第２６８４７８６号公報
【特許文献２】実開平１−６５４０１号公報
【特許文献３】実公平６−４０９６５号公報
【特許文献４】実用新案登録第２６８４７８６号公報
【発明の開示】
【発明が解決しようとする課題】
【０００３】
しかしながら、上記のような連結装置では、例えば一方の配管に油が流れ、他方の配管に空気が流れた場合、他方の配管における比重の小さな空気のみを吸引してしまい、一方の配管における比重の大きな油を適切に吸引することができないという問題がある。
【０００４】
本発明は、このような事情に鑑みてなされたものであって、気体や液体などのように比重の異なる流体が流れても、それら流体を効率よく良好に吸引することができる流体切替弁を提供することを目的とする。
【課題を解決するための手段】
【０００５】
上記課題を解決するために、本発明は以下の手段を提供する。
本発明は、中空状の本体部と、前記本体部内に流体を流入させる対をなす流入部と、前記流入部を介して前記本体部内に流入した流体を流出させる流出部と、前記対をなす流入部の間において止め点を中心として回転可能に支持された可動弁とを備え、前記対をなす流入部の配列方向における前記可動弁の両端が、前記対をなす流入部のそれぞれの流入口まで延ばされていることを特徴とする。
【０００６】
この発明によれば、一方の流入部から流体が流れると、可動弁が回転し、他方の流入口が閉状態となる。
そのため、比重の異なる流体が流れても、それら流体を適切に吸引することができる。
なお、閉状態とは、流入口が塞がれた状態だけでなく、流入口と可動弁との間に隙間がある状態も含まれるものである。
【０００７】
また、本発明は、前記止め点から前記両端にわたって傾斜する傾斜部が前記可動弁に形成されていることを特徴とする。
【０００８】
この発明によれば、可動弁が回転したときに、一方の流入口を容易に塞ぐことができる。
【０００９】
また、本発明は、前記流入口又は前記可動弁の少なくともいずれか一方に、弾性変形可能な封止部材が設けられていることを特徴とする。
【００１０】
この発明によれば、封止部材によって、流入口を容易に閉状態にすることができる。
【発明の効果】
【００１１】
本発明によれば、気体や液体などのように比重の異なる流体が流れても、それら流体を効率よく良好に吸引することができる。
【発明を実施するための最良の形態】
【００１２】
（実施形態１）
以下、本発明の第１の実施形態における流体切替弁について、図面を参照して説明する。
図１は、本発明の第１の実施形態としての流体切替弁を示したものである。
流体切替弁１は、直方体形状の本体部２を備えている。
本体部２は中空状に形成されている。すなわち、本体部２の内部には中空部３が形成されている。
本体部２の前面には、不図示の封止部材を介してガラスカバー１２が設けられている。これらガラスカバー１２及び封止部材により、中空部３の前方が封止されている。
【００１３】
また、本体部２の長手方向Ｈの一端には、一対の流入部６ａ，６ｂが形成されている。これら流入部６ａ，６ｂは、本体部２の短手方向Ｗに配列されている。
流入部６ａ，６ｂは、本体部２の長手方向Ｈの一端面を貫通する貫通孔として構成されている。そのため、流入部６ａ，６ｂを介して、本体部２の外方と中空部３とが連通している。そして、流入部６ａ，６ｂの中空部３内の縁部が、流入口７ａ，７ｂとなる。また、流入部６ａ，６ｂの外方側の端部には配管が連結されるようになっている。
【００１４】
また、本体部２の長手方向Ｈの他端には、流体を流出させる流出部１３が形成されている。すなわち、流入部６ａ，６ｂと流出部１３とは、互いに対向する対向面に形成されている。
流出部１３は、本体部２の長手方向Ｈの他端面を貫通する貫通孔として構成されている。そのため、流出部１３を介して、本体部２の外方と中空部３とが連通している。また、流出部１３の外方側の端部には配管が連結されるようになっている。
【００１５】
さらに、中空部３内のうち一対の流入部６ａ，６ｂの間には、流入口７ａ，７ｂを開閉する可動弁９が設けられている。
可動弁９は、正面視して略三角形状に形成されている。すなわち、可動部９には、三角形の頂点から短手方向Ｗの両端に向かうにしたがって漸次肉薄となるような（流入口７ａ，７ｂから漸次遠くなるような）傾斜部９ａ，９ｂが形成されている。そして、三角形の頂点には、不図示の貫通孔が形成されている。さらに、可動部９は、三角形の頂点が本体部２の一端側に向けられた状態で、本体部２の奥行き方向に向けられたネジが三角形の頂点の貫通孔を挿通することにより中空部３内に取り付けられている。すなわち、可動弁９は、図２に示すように、ネジの止め点Ａを中心として回転可能に支持されている。可動弁９は、ネジによってフリーな状態で支持されており、外力が加えられない自然状態においては、図１に示すように、短手方向Ｗでバランスがとられ、流入口７ａ,７ｂは、ともに開状態となる。
【００１６】
また、可動部９の短手方向Ｗの両端は、止め点Ａから短手方向Ｗの外方に向けて、それぞれ流入口７ａ，７ｂを越える位置まで延ばされている。すなわち、可動部９の短手方向Ｗの両端部は、流入口７ａ，７ｂを介して流入する流体の通路上に配されている。
【００１７】
次に、このように構成された本実施形態における流体切替弁１の作用について説明する。
まず、図３に示すように、流入部６ａ，６ｂのそれぞれに流入管２０ａ，２０ｂを連結し、流出部１３に、流出管２１を連結する。流出管２１には吸引ポンプ２２を取り付ける。
この状態から吸引ポンプ２２を駆動すると、吸引ポンプ２２の吸引力により、流入管２０ａ，２０ｂから流入部６ａ，６ｂを介して中空部３内に油が流入される。そして、中空部３から流出部１３を介して油が流出管２１から流出される。
【００１８】
ここで、２系統の配管を連結し、単に１つの流出管から吸引ポンプによって油を吸引すると、例えば一方の配管に油が流れ、他方の配管に空気が流れた場合、他方の配管内における比重の小さな空気のみが吸引され、一方の配管内における比重の大きな油が適切に吸引されないことが考えられる。
本実施形態における流体切替弁１によれば、以下のようにして、流体が適切に吸引される。
例えば、一方の流入管２０ａから油が流され、他方の流入管２０ｂから空気が流された場合、一方の流入管２０ａから流入口７ａを介して油が自重により中空部３内に移動する。流入口７ａからの流体の通路上、すなわち流入口７ａに対向する位置には、可動弁９の傾斜部９ａが配されていることから、自重によって落ちてきた油の質量によって傾斜部９ａが押されることになる。そのため、可動弁９は、止め点Ａを中心として、図３に対して左方向に回転する。
【００１９】
そのため、傾斜部９ｂと流入口７ｂとが接近し、あるタイミングで流入口７ｂが傾斜部９ｂによって塞がれる。そのため、流入口７ｂが閉状態となり、他方の流入管２０ｂに吸引ポンプ２２の吸引力が及ばなくなる。この状態では、流入口７ａは開状態になるため、吸引力は一方の流入管２０ａに及ぶことになる。そのため、一方の流入管２０ａから流入部６ａを介して油が適切に吸引される。
【００２０】
反対に、他方の流入管２０ｂから油が流され、一方の流入管２０ａから空気が流された場合、他方の流入管２０ｂから流入口７ｂを介して油が自重により中空部３内に移動する。そのため、図４に示すように、流入口７ｂを介して自重によって落ちてきた油の質量によって傾斜部９ｂが押されることになる。そのため、可動弁９は、止め点Ａを中心として、図４に対して右方向に回転する。
【００２１】
そのため、流入口７ａが傾斜部９ａによって塞がれて、閉状態となる。これにより、一方の流入管２０ａに吸引ポンプ２２の吸引力が及ばなくなる。そして、流入口７ｂは開状態になるため、吸引力は他方の流入管２０ｂに及ぶことになる。そのため、他方の流入管２０ｂから流入部６ｂを介して油が適切に吸引される。
【００２２】
以上より、本実施形態における流体切替弁１によれば、可動弁９が回転し、吸引の必要な流入部を開状態とし、吸引の不要な流入部を閉状態とすることができることから、気体や液体などのように比重の異なる流体が流れても、それら流体を効率よく良好に吸引することができる。
また、可動弁９に傾斜部９ａ，９ｂが形成されていることから、可動弁９が回転したときに、一方の流入口を確実に塞ぐことができる。
【００２３】
（実施形態２）
次に、本発明の第２の実施形態について説明する。
図５は、本発明の第２の実施形態を示したものである。
図５において、図１から図４に記載の構成要素と同一部分については同一符号を付し、その説明を省略する。
この実施形態と上記第１の実施形態とは基本的構成は同一であり、ここでは主として異なる点について説明する。
【００２４】
本実施形態においては、流入口７ａ，７ｂの縁部の全周に、環状の封止部材３０が設けられている。封止部材３０は、弾性部材からなるものである。また、封止部材３０は、流入口７ａ，７ｂの縁部の全周から本体部２の他端に向けて突出している。
このような構成のもと、可動弁９が止め点Ａを中心として回転すると、傾斜部９ａ（９ｂ）によって、封止部材３０が弾性変形し、封止部材３０を介して流入口７ａ（７ｂ）が覆われる。
【００２５】
以上より、本実施形態における流体切替弁１によれば、封止部材３０によって、流入口７ａ，７ｂを確実に閉状態にすることができる。
なお、本実施形態においては、封止部材３０を流入口７ａ，７ｂに設けるとしたが、これに限ることはなく、可動弁９側に封止部材３０を設けてもよい。
【００２６】
なお、上記第１及び第２の実施形態においては、流体として空気と油を例に挙げて説明したが、これに限ることはなく、他の気体、液体など適宜変更可能である。
また、傾斜部９ａ，９ｂによって、流入口７ａ，７ｂが塞がれることとしたが、これに限ることはなく、閉状態において傾斜部９ａ，９ｂと流入口７ａ，７ｂとの間に隙間があってもよい。すなわち、比重の小さな流体が流れる方の流入部に、吸引に対する抵抗を付与すれば、比重の大きな流体が流れる方の流入部に吸引力を適切に及ばすことができる。
【００２７】
また、一方の流入管と他方の流入管とで、流れる流体を空気と油とに分けて説明したが、これに限ることはなく、比重の異なる流体の混合流体が流れるものであってもよい。
また、流入口７ａ，７ｂから、比重の等しい流体が流れる場合には、質量（流入口７ａ，７ｂからの流量）の大きい方の流入口が開状態となり、小さい方の流入口が閉状態となることは言うまでもない。質量が同じであれば、可動弁９がバランスされて、いずれの流入口７ａ，７ｂからも流体が流入することになる。
【００２８】
また、中空部３の大きさは、適宜変更可能であり、少なくとも可動弁９が回転することができる分のスペースがあればよい。
さらに、可動弁９の形状は、適宜変更可能であり、傾斜部９ａ，９ｂを設けなくてもよい。
なお、本発明の技術範囲は上記の実施形態に限定されるものではなく、本発明の趣旨を逸脱しない範囲において、種々の変更を加えることが可能である。
【図面の簡単な説明】
【００２９】
【図１】本発明に係る流体切替弁の第１の実施形態を示す正面図である。
【図２】図１の可動弁の回転の様子を示す説明図である。
【図３】可動弁が回転し、一方の流入口が開状態となり、他方の流入口が閉状態となった様子を示す説明図である。
【図４】可動弁が回転し、一方の流入口が閉状態となり、他方の流入口が開状態となった様子を示す説明図である。
【図５】本発明に係る流体切替弁の第２の実施形態を示す正面図である。
【符号の説明】
【００３０】
１    流体切替弁
２    本体部
６ａ，６ｂ  流入部
７ａ，７ｂ  流入口
９    可動弁
９ａ，９ｂ  傾斜部
１３  流出部
Ａ    止め点
【図１】
2009216156.tif 000003
【図２】
2009216156.tif 000004
【図３】
2009216156.tif 000005
【図４】
2009216156.tif 000006
【図５】
2009216156.tif 000007